(57)【要約】【課題】車載の装置を要さず、自動的に通話を切り替える。【解決手段】互いにBluetooth（登録商標）ハンズフリーセットとして登録されている携帯電話機１と携帯電話機２を含み、携帯電話機１の制御部１１２は、携帯電話の着信の時前記Bluetooth（登録商標）無線部１０１を制御することにより、Bluetooth（登録商標）送信を行い、携帯電話機２が該Bluetooth（登録商標）送信に応答した場合、前述の着信に係る通話をBluetooth（登録商標）通信方式に準拠した近距離無線通信により携帯電話機２で行うように、前述の着信を携帯電話機２に転送することを特徴とする携帯電話機。【選択図】図１
2010278857.tif 000002
【特許請求の範囲】
【請求項１】
Bluetooth（登録商標）通信方式に準拠した近距離無線通信を行うBluetooth（登録商標）無線部と、電話の着信の時に着信音が出力されるスピーカー部と、ユーザからの操作が入力される操作部と、携帯電話の基地局から受信した電波を処理する無線部と、前記着信の時に鳴動するバイブ部と、前記Bluetooth（登録商標）無線部、前記スピーカー部、前記操作部、前記バイブ部及び前記無線部を制御する制御部と、を有する携帯電話機において、
前記携帯電話機は、互いにBluetooth（登録商標）ハンズフリーセットとして登録されている第一の携帯電話機と第二の携帯電話機を含み、
前記第一の携帯電話機の前記制御部は、前記着信の時に、前記Bluetooth（登録商標）無線部を制御することにより、Bluetooth（登録商標）送信を行い、前記第二の携帯電話機が該Bluetooth（登録商標）送信に応答した場合、前記着信に係る通話を前記Bluetooth（登録商標）通信方式に準拠した近距離無線通信により前記第二の携帯電話機で行うように、前記着信を前記第二の携帯電話機に転送することを特徴とする携帯電話機。
【請求項２】
前記第一の携帯電話機の前記制御部は、前記第二の携帯電話機が前記Bluetooth（登録商標）送信に応答した場合、前記基地局からの通信を前記Bluetooth（登録商標）通信方式に準拠した近距離無線通信で前記第二の携帯電話機に送信し、前記Bluetooth（登録商標）通信方式に準拠した近距離無線通信で前記第二の携帯電話機から前記着信に係る通話を受信し、かつ該受信した通話を前記無線部を介して前記基地局に送信することを特徴とする請求項１に記載の携帯電話機。
【請求項３】
前記第一の携帯電話機の制御部は、前記第二の携帯電話機から前記着信に係る通話が終了されたときに、その旨をBluetooth（登録商標）通信方式に準拠した近距離無線通信で検知し、前記着信に係る前記基地局との通信を終了させることを特徴とする請求項１又は２に記載の携帯電話機。
【請求項４】
前記第一の携帯電話機と前記第二の携帯電話機は、それぞれの構成が同一であり、前記第二の携帯電話は、前記着信に係る通話を前記Bluetooth（登録商標）通信方式に準拠した近距離無線通信により前記第一の携帯電話機で行うように、前記着信を前記第一の携帯電話機に転送することを特徴とする請求項１乃至３のいずれか１項に記載の携帯電話機。
【請求項５】
前記第二の携帯電話機に代えて、Bluetooth（登録商標）通信方式に対応したハンズフリー通話装置であることを特徴とする請求項１乃至３のいずれか１項に記載の携帯電話機。
【請求項６】
Bluetooth（登録商標）通信方式に準拠した近距離無線通信を行う携帯電話機の通信方法において、
前記携帯電話機は、互いにBluetooth（登録商標）ハンズフリーセットとして登録されている第一の携帯電話機と第二の携帯電話機を含み、
前記第一の携帯電話機が、携帯電話の基地局から着信の時に、Bluetooth（登録商標）送信を行う手順と、
前記第二の携帯電話機が該Bluetooth（登録商標）送信に応答する手順と、
前記着信に係る通話を前記Bluetooth（登録商標）通信方式に準拠した近距離無線通信により前記第二の携帯電話機で行うように、前記第一の携帯電話機が前記着信を前記第二の携帯電話機に転送する手順と、
を備えることを特徴とする携帯電話機の通信方法。
【請求項７】
前記第一の携帯電話機が前記着信を前記第二の携帯電話機に転送する手順は、前記基地局からの通信を前記Bluetooth（登録商標）通信方式に準拠した近距離無線通信で前記第二の携帯電話機に送信し、前記Bluetooth（登録商標）通信方式に準拠した近距離無線通信で前記第二の携帯電話機から前記着信に係る通話を受信し、かつ該受信した通話を前記無線部を介して前記基地局に送信することを特徴とする請求項６に記載の携帯電話機の通信方法。
【請求項８】
前記第二の携帯電話機で前記着信に係る通話が終了されたときに、その旨をBluetooth（登録商標）通信方式に準拠した近距離無線通信で前記第一の携帯電話機が検知し、前記着信に係る前記基地局との通信を終了させる手順を更に備えることを特徴とする請求項６又は７に記載の携帯電話機の通信方法。
【請求項９】
Bluetooth（登録商標）通信方式に準拠した近距離無線通信を行う携帯電話機の通信プログラムにおいて、
前記携帯電話機は、互いにBluetooth（登録商標）ハンズフリーセットとして登録されている第一の携帯電話機と第二の携帯電話機を含み、
前記第一の携帯電話機が、携帯電話の基地局から着信の時に、Bluetooth（登録商標）送信を行う処理と、
前記第二の携帯電話機が該Bluetooth（登録商標）送信に応答する処理と、
前記着信に係る通話を前記Bluetooth（登録商標）通信方式に準拠した近距離無線通信により前記第二の携帯電話機で行うように、前記第一の携帯電話機が前記着信を前記第二の携帯電話機に転送する処理と、
を前記携帯電話機に実行させることを特徴とする携帯電話機の通信プログラム。
【請求項１０】
前記第一の携帯電話機が前記着信を前記第二の携帯電話機に転送する処理は、前記基地局からの通信を前記Bluetooth（登録商標）通信方式に準拠した近距離無線通信で前記第二の携帯電話機に送信し、前記Bluetooth（登録商標）通信方式に準拠した近距離無線通信で前記第二の携帯電話機から前記着信に係る通話を受信し、かつ該受信した通話を前記無線部を介して前記基地局に送信することを特徴とする請求項９に記載の携帯電話機の通信プログラム。
【請求項１１】
前記第二の携帯電話機で前記着信に係る通話が終了されたときに、その旨をBluetooth（登録商標）通信方式に準拠した近距離無線通信で前記第一の携帯電話機が検知し、前記着信に係る前記基地局との通信を終了させる処理を更に前記携帯電話機に実行させることを特徴とする請求項９又は１０に記載の携帯電話機の通信プログラム。
【発明の詳細な説明】
【技術分野】
【０００１】
本発明は、一の携帯電話機に着信した電話を、Bluetooth（登録商標）無線通信で他方の携帯電話機に転送し、この他方の携帯電話機で前述の着信した電話に出ることができるハンズフリー携帯電話機に関する。
【背景技術】
【０００２】
携帯電話機で、端末間の無線通信規格であるBluetooth（登録商標）を用いたハンズフリーセットを無線ハンズフリーとして利用していたが、他の携帯電話機の通話音声をBluetooth（登録商標）無線経由で利用することはできなかった。
【０００３】
通常は、図３に示すように、携帯電話機で、Bluetooth（登録商標）ハンズフリーセットを無線ハンズフリーとして利用していたが、他の携帯電話機の通話音声をBluetooth（登録商標）無線経由で利用することはできなかった。
【０００４】
又、Bluetooth（登録商標）ハンズフリーセットは、携帯電話機とは別に購入しないと利用できなかった。
【０００５】
図には記載しないが、携帯電話機を２台所有する場合に、着信に備えて、２台ともに常時取り出しやすい場所に所持しておく必要があった。
【０００６】
又、自動車の運転者の携帯電話機に着信があり、代理で助手席の人が代理で出る場合に、運転者は自分の携帯電話機をポケット等から出して、助手席の人に手渡す必要があった。
【０００７】
そこで、特許文献１には、ブルートゥース通信機能を有する車載用のハンズフリー電話装置に関する発明が開示されている。
【０００８】
又、特許文献２には、近距離無線通信が可能な２台の携帯電話機と、車内据え付けのハンズフリー装置とを有し、２台の携帯電話機のいずれかに着信があったとき、ハンズフリー装置を介して、ブルートゥース通信機能による近距離無線通信により、他方の携帯電話機で着信した電話を受けるという発明が開示されている。
【先行技術文献】
【特許文献】
【０００９】
【特許文献１】特開２００８−１５３９７６号公報
【特許文献２】特開２００８−２９５１１０号公報
【発明の概要】
【発明が解決しようとする課題】
【００１０】
しかしながら、特許文献１及び２に開示されている発明は、携帯電話機以外に車内据え付けのハンズフリー装置を要し、更に特許文献２に開示されている発明は、他の携帯電話機からの通話へ切り替えるには、ユーザが手動で行わなければならないという問題点がある。
【００１１】
本発明は上記に鑑みてなされたもので、携帯電話機以外の車載の装置を要さず、通話の切り替えもユーザが手動で行う必要のないハンズフリー携帯電話機を提供することを目的とする。
【課題を解決するための手段】
【００１２】
上述の問題を解決するため、本発明に係る携帯電話機は、Bluetooth（登録商標）通信方式に準拠した近距離無線通信を行うBluetooth（登録商標）無線部と、電話の着信の時に着信音が出力されるスピーカー部と、ユーザからの操作が入力される操作部と、携帯電話の基地局から受信した電波を処理する無線部と、前記着信の時に鳴動するバイブ部と、前記Bluetooth（登録商標）無線部、前記スピーカー部、前記操作部、前記バイブ部及び前記無線部を制御する制御部と、を有する携帯電話機において、前記携帯電話機は、互いにBluetooth（登録商標）ハンズフリーセットとして登録されている第一の携帯電話機と第二の携帯電話機を含み、前記第一の携帯電話機の前記制御部は、前記着信の時に、前記Bluetooth（登録商標）無線部を制御することにより、Bluetooth（登録商標）送信を行い、前記第二の携帯電話機が該Bluetooth（登録商標）送信に応答した場合、前記着信に係る通話を前記Bluetooth（登録商標）通信方式に準拠した近距離無線通信により前記第二の携帯電話機で行うように、前記着信を前記第二の携帯電話機に転送することを特徴とする。
【００１３】
上述の問題を解決するため、本発明に係る携帯電話機の通信方法は、Bluetooth（登録商標）通信方式に準拠した近距離無線通信を行う携帯電話機の通信方法において、前記携帯電話機は、互いにBluetooth（登録商標）ハンズフリーセットとして登録されている第一の携帯電話機と第二の携帯電話機を含み、前記第一の携帯電話機が、携帯電話の基地局から着信の時に、Bluetooth（登録商標）送信を行う手順と、前記第二の携帯電話機が該Bluetooth（登録商標）送信に応答する手順と、前記着信に係る通話を前記Bluetooth（登録商標）通信方式に準拠した近距離無線通信により前記第二の携帯電話機で行うように、前記第一の携帯電話機が前記着信を前記第二の携帯電話機に転送する手順と、を備えることを特徴とする。
【００１４】
上述の問題を解決するため、本発明に係る携帯電話機の通信プログラムは、Bluetooth（登録商標）通信方式に準拠した近距離無線通信を行う携帯電話機の通信プログラムにおいて、前記携帯電話機は、互いにBluetooth（登録商標）ハンズフリーセットとして登録されている第一の携帯電話機と第二の携帯電話機を含み、前記第一の携帯電話機が、携帯電話の基地局から着信の時に、Bluetooth（登録商標）送信を行う処理と、前記第二の携帯電話機が該Bluetooth（登録商標）送信に応答する処理と、前記着信に係る通話を前記Bluetooth（登録商標）通信方式に準拠した近距離無線通信により前記第二の携帯電話機で行うように、前記第一の携帯電話機が前記着信を前記第二の携帯電話機に転送する処理と、を前記携帯電話機に実行させることを特徴とする。
【発明の効果】
【００１５】
本発明によれば、他の携帯電話機からのBluetooth（登録商標）による送受話音声の無線ハンズフリーセット信号を受けた場合に、他の携帯電話機の、無線ハンドセットとして機能することにより、携帯電話機以外の車載の装置を要さず、通話の切り替えもユーザが手動で行う必要のないハンズフリー携帯電話機を提供することができる。
【図面の簡単な説明】
【００１６】
【図１】本発明の実施の形態に係る携帯電話機の構成図である。
【図２】本発明の実施の形態に係る携帯電話機の動作を示すフローチャートである。
【図３】本発明の実施の形態に係る携帯電話機のハンズフリー通話装置を使用した場合を示す図である。
【発明を実施するための形態】
【００１７】
以下、図面を参照しながら、本発明の実施の形態に係る携帯電話機について詳細に説明する。ここで、図１は、本発明の実施の形態に係る携帯電話機の構成図である。この図１では、相互にBluetooth（登録商標）で通信を行う携帯電話機が２台記されているが、どちらも同じものなので、１台目の携帯電話機である携帯電話機１について、詳細に説明する。
【００１８】
この図１によると、本実施の形態に係る携帯電話機１は、Bluetooth（登録商標）無線部１０１と、Bluetooth（登録商標）無線アンテナ１０２と、電話の音声を出力する受話部１０３と、ユーザの音声が入力される送話部１０４と、着信音が出力されるスピーカー部１０５と、受話部１０３、送話部１０４及びスピーカー部１０５を制御するオーディオ部１０６と、文字又は図形の情報を表示する表示部１０７と、ユーザからの操作が入力される操作部１０８と、携帯電話の音声通信及びメールの電波を受信する携帯電話アンテナ１０９と、携帯電話の基地局から受信した携帯電話の音声通信及びメールの電波を高周波信号処理機能によって処理する無線部１１０と、携帯電話の着信時に鳴動するバイブ部１１１と、Bluetooth（登録商標）無線部１０１、オーディオ部１０６、表示部１０７、操作部１０８、バイブ部１１１及び無線部１１０を制御する制御部１１２と、を備える。
【００１９】
同様に、２台目の携帯電話機２も、Bluetooth（登録商標）無線部２０１と、Bluetooth（登録商標）無線アンテナ２０２と、受話部２０３と、送話部２０４と、スピーカー部２０５と、オーディオ部２０６と、表示部２０７と、操作部２０８と、携帯電話アンテナ２０９と、無線部２１０と、バイブ部２１１と、制御部２１２と、を備え、それらは、Bluetooth（登録商標）無線部１０１と、Bluetooth（登録商標）無線アンテナ１０２と、受話部１０３と、送話部１０４と、スピーカー部１０５と、オーディオ部１０６と、表示部１０７と、操作部１０８と、携帯電話アンテナ１０９と、無線部１１０と、バイブ部１１１と、制御部１１２と同様である。
【００２０】
Bluetooth（登録商標）無線部１０１はBluetooth（登録商標）通信方式に準拠した近距離無線通信を行う。
【００２１】
制御部１１２は、無線部１１０を介して基地局から携帯電話機１への着信を検出すると、表示部１０７にその旨を表示させる着信動作、オーディオ部１０６を介してスピーカー部１０５からの着信音鳴動、バイブ部１１１による着信バイブ振動及びBluetooth（登録商標）無線部１０１にBluetooth（登録商標）送信を行わせる。
【００２２】
制御部１１２は、Bluetooth（登録商標）無線部１０１にBluetooth（登録商標）送信を行わせた後、携帯電話機２が、このBluetooth（登録商標）送信を受信し、これに応答した場合、携帯電話機２とでBluetooth（登録商標）による無線通信を確立し、携帯電話機２から入力された音声情報を無線部１１０を介して基地局に送信する。
【００２３】
又、制御部１１２は、携帯電話機２からの操作によって、携帯電話機１と携帯電話機２との間で確立されていたBluetooth（登録商標）による無線通信が解消された場合、無線部１１０を制御し、基地局との通信を解除する。
【００２４】
本実施の形態では、携帯電話機１は、携帯電話機２のような他の携帯電話機からBluetooth（登録商標）による送受話音声の無線ヘッドセット信号を受けた場合に、他の携帯電話機の、無線ハンドセットとして機能し、通話開始及び終了動作並びに送話及び受話を利用することができる。
【００２５】
［動作の説明］
次に図２を参照しながら、本実施の形態に係る携帯電話機の動作について説明する。ここで、図２は、本実施の形態に係る携帯電話機の動作のフローチャートである。
【００２６】
なお、図２には記載しないが、ユーザーは事前に、携帯電話機１に、携帯電話機２をBluetooth（登録商標）ハンズフリーセットとして登録しておく。
【００２７】
概要としては、携帯電話機１に基地局から着信があった場合、ユーザーは携帯電話機２で、通話開始の操作をすることにより、携帯電話機２の受話部２０３と送話部２０４とを利用して、携帯電話機１に着信した電話の送話及び受話が可能となる。
【００２８】
次いで、図２のフローチャートを用いて本発明の実施の形態に係る携帯電話機の動作について詳細に説明する。
【００２９】
まず、１台目の携帯電話機である携帯電話機１及び２台目の携帯電話機である携帯電話機２は、ともに携帯電話と、Bluetooth（登録商標）とが待ち受け状態である（ステップＳ１）。この状態で、基地局から携帯電話機１に着信があると（ステップＳ２）、携帯電話機１は着信動作、着信音鳴動、着信バイブ振動及びBluetooth（登録商標）送信をする（ステップＳ３）。
【００３０】
携帯電話機２は携帯電話機１からのBluetooth（登録商標）信号を受信し、Bluetooth（登録商標）通話が開始される操作を待つ（ステップＳ４）。
【００３１】
ユーザーが携帯電話機２のBluetooth（登録商標）通話の開始操作をすると（ステップＳ５）、携帯電話機１は通話動作開始し、Bluetooth（登録商標）通信で音声は携帯電話機２の送話部２０４及び受話部２０３を利用して、送受話を利用できる（ステップＳ６）。
【００３２】
通話を終了する際には、ユーザーは、携帯電話機２で終話操作する。Bluetooth（登録商標）通信で携帯電話機１も通話動作を終了する（ステップＳ７）。
【００３３】
図１には記載していないが、携帯電話機１が着信した際に携帯電話機１の操作部１０８で通話開始の操作をすることにより、携帯電話機１の送話部１０４及び受話部１０３で通話することも当然に可能である。
【００３４】
図１では、携帯電話機１が着信し、携帯電話機２の送話部２０４及び受話部２０３で通話をするような例を記載したが、携帯電話機１と携帯電話機２とが逆の役割をしてもよい。
【００３５】
事前に、携帯電話機２に、携帯電話機１をBluetooth（登録商標）ハンズフリーセットとして登録しておき、携帯電話機２が着信し、携帯電話機１の送話部１０４及び受話部１０３で通話することもできる。
【００３６】
又、本実施の形態では、Bluetooth（登録商標）通信方式によって着信が転送されるのは、もう一方の携帯電話機であったが、図３に示したように、もう一方の携帯電話機に代えて、Bluetooth（登録商標）通信方式に対応したハンズフリー通話装置３であってもよい。
【００３７】
この場合、通話者は、ハンズフリー通話装置３がBluetooth（登録商標）無線アンテナ３０２で電波を受信し、受話部３０２及び送話部３０４で、携帯電話機１に着信した電話に応答することができる。
【００３８】
本実施形態による携帯電話機は、ハードウェアによっても実現することもできるが、携帯電話機をコンピュータとみなした場合に本実施の形態に係る機能させるためのプログラムをコンピュータでもある携帯電話機が読み取り可能な記録媒体から読み込んで実行することによっても実現することが出来る。
【００３９】
又、本実施の形態による通信方法は、ハードウェアによっても実現することもできるが、コンピュータでもある携帯電話機にその方法を実行させるためのプログラムをコンピュータである携帯電話機が読み取り可能な記録媒体から読み込んで実行することによっても実現することが出来る。
【産業上の利用可能性】
【００４０】
本発明は、Bluetooth（登録商標）通信方式に対応した携帯電話機の近距離通話に利用することが出来る。
【符号の説明】
【００４１】
１、２  携帯電話機
３  ハンズフリー通話装置
１０１  Bluetooth（登録商標）無線部
１０２  Bluetooth（登録商標）無線アンテナ
１０３  受話部
１０４  送話部
１０５  スピーカー部
１０６  オーディオ部
１０７  表示部
１０８  操作部
１０９  携帯電話アンテナ
１１０  無線部
１１１  バイブ部
１１２  制御部
２０１  Bluetooth（登録商標）無線部
２０２  Bluetooth（登録商標）無線アンテナ
２０３  受話部
２０４  送話部
２０５  スピーカー部
２０６  オーディオ部
２０７  表示部
２０８  操作部
２０９  携帯電話アンテナ
２１０  無線部
２１１  バイブ部
２１２  制御部
３０３  受話部
３０４  送話部
【図１】
2010278857.tif 000003
【図２】
2010278857.tif 000004
【図３】
2010278857.tif 000005